(57)【要約】【課題】ユーザの利便性を低下させずに満充電容量の推定精度を向上させる蓄電システムを提供する。【解決手段】電池３と、電池３の使用頻度が高い時間帯では、前回の満充電容量推定からの経過時間又は前回の満充電容量推定からの電池３の積算充放電量が第１の閾値を超えた場合に電池３の満充電容量推定の実施を決定し、電池３の使用頻度が低い時間帯では、経過時間又は積算充放電量が第１の閾値よりも低い第２の閾値を超えた場合に満充電容量推定の実施を決定する制御部９とを備えて蓄電システム１を構成する。【選択図】図１
2018013435.tif 000002
【特許請求の範囲】
【請求項１】
電池と、
前記電池の使用頻度が高い時間帯では、前回の満充電容量推定からの経過時間又は前回の満充電容量推定からの前記電池の積算充放電量が第１の閾値を超えた場合に前記電池の満充電容量推定の実施を決定し、前記電池の使用頻度が低い時間帯では、前記経過時間又は前記積算充放電量が前記第１の閾値よりも低い第２の閾値を超えた場合に前記満充電容量推定の実施を決定する制御部と
を含む蓄電システム。
【請求項２】
請求項１に記載の蓄電システムであって、
前記制御部は、前記満充電容量推定の実施を決定した場合に、前記電池の充電率が推定実施閾値以下になるように前記電池の充電を控える
蓄電システム。
【請求項３】
請求項１又は２に記載の蓄電システムであって、
前記制御部は、前記満充電容量推定の実施中に前記電池の放電が開始される場合には、前記満充電容量推定の実施を中止する
蓄電システム。
【発明の詳細な説明】
【技術分野】
【０００１】
本発明は、蓄電システムに関する。
【背景技術】
【０００２】
充電器には、系統電源から供給された電力を基に所望の電力を生成する電力変換部と、電力変換部により生成された電力を蓄電する蓄電池とを備えた充電器がある。こうした充電器は、例えば、系統電源から供給される電力が契約電力を超えないように、電力変換部から出力された電力と蓄電池から出力された電力とを使用して、充電器に接続された充電対象の蓄電池を充電する。以下の説明において、充電器に備えられる蓄電池を充電用蓄電池と呼び、充電器に接続されて充電される蓄電池を充電対象蓄電池と呼ぶ場合がある。
【０００３】
蓄電池の満充電容量は、蓄電池の経年劣化に伴い低下するため、蓄電池の満充電容量は蓄電池の設置後において推定されることが望ましい。蓄電池の満充電容量は、例えば、次の式(1)のように、充電中に蓄電池に流れた電流を積算した値（積算電流量）を用いて推定される。
【０００４】
満充電容量＝充電による積算電流量［Ａｈ］／（充電終了後の充電率［％］−（充電開始前の充電率［％］））      ・・・式(1)
式(1)のように積算電流量を用いて蓄電池の満充電容量を推定する方法では、蓄電池に流れる電流を計測する電流センサの計測誤差の影響を受ける。そこで、電流センサの計測誤差の影響を小さくするために、充電開始時の蓄電池の充電率（State Of Charge（ＳＯＣ））をできる限り少なくし、蓄電池が満充電されるまでの積算電流量を大きくすることが考えられる。
【０００５】
なお、関連する技術として、特許文献１に記載の技術が知られている。
【先行技術文献】
【特許文献】
【０００６】
【特許文献１】特開２０１５−４０８３２号公報
【発明の概要】
【発明が解決しようとする課題】
【０００７】
しかしながら、満充電容量推定の実施に備えて充電用蓄電池の充電率を無計画に少なくすると、充電対象蓄電池が充電器に接続された場合に、充電用蓄電池からの出力電力によって充電対象蓄電池を充電することが難しくなる。電力変換部が生成及び出力できる電力は、系統電源から受給可能な契約電力に従うため、充電用蓄電池から十分な電力が出力されない場合には、充電対象蓄電池を速やかに充電できなくなり、ユーザの利便性が損なわれる。
【０００８】
本発明の一側面に係る目的は、ユーザの利便性を低下させずに満充電容量の推定精度を向上させる蓄電システムを提供することである。
【課題を解決するための手段】
【０００９】
本発明に係る一つの形態である蓄電システムは、電池と制御部とを含む。制御部は、電池の使用頻度が高い時間帯では、前回の満充電容量推定からの経過時間又は前回の満充電容量推定からの電池の積算充放電量が第１の閾値を超えた場合に電池の満充電容量推定の実施を決定する。また、制御部は、電池の使用頻度が低い時間帯では、経過時間又は積算充放電量が第１の閾値よりも低い第２の閾値を超えた場合に満充電容量推定の実施を決定する。
【発明の効果】
【００１０】
一実施形態に従った蓄電システムによれば、ユーザの利便性を低下させずに満充電容量の推定精度を向上させることができる。
【図面の簡単な説明】
【００１１】
【図１】実施形態に従った蓄電システムの構成例を示す図である。
【図２】実施形態に従った蓄電システムが実行する満充電容量推定の処理フローの一例を示す図である。
【発明を実施するための形態】
【００１２】
以下図面に基づいて実施形態について詳細を説明する。
図１は、実施形態に従った蓄電システムの構成例を示す図である。図１に示す充電器１は、実施形態に従った蓄電システムの一例である。なお、図１に示す一例では、系統電源Ｐに１つの充電器１が接続されているが、系統電源Ｐに複数の充電器１が接続されていてもよい。
【００１３】
充電器１は、電力変換部２、充電用蓄電池３、スイッチ４〜６、電流センサ７、充電率推定部８、制御部９、及び記憶部１０を含む。
電力変換部２は、系統電源Ｐから出力された電力を交流から直流に変換して充電対象蓄電池Ｂに供給することで、充電対象蓄電池Ｂを充電する。また、電力変換部２は、系統電源Ｐから出力された電力を交流から直流に変換して充電用蓄電池３に供給することで、充電用蓄電池３を充電する。なお、充電対象蓄電池Ｂは、例えば、電気自動車、ハイブリット車、又は電動フォークリフト等の車両に搭載されてもよい。
【００１４】
充電用蓄電池３は、実施形態に従った電池の一例である。充電用蓄電池３は、例えば、１つ以上のリチウムイオン電池、ニッケル水素電池、または、電気二重層コンデンサにより構成される。充電用蓄電池３は、蓄電された電力を充電対象蓄電池Ｂに供給することで、充電対象蓄電池Ｂを充電する。
【００１５】
スイッチ４〜６は、例えば、ＭＯＳＦＥＴ（Metal Oxide Semiconductor Field Effect Transistor）等の半導体スイッチや電磁式リレーにより構成される。スイッチ４は、電力変換部２と充電ケーブルＣａとを繋ぐ電力線Ｌ１に設けられ、スイッチ５は、電力変換部２と充電用蓄電池３とを繋ぐ電力線Ｌ２に設けられ、スイッチ６は、充電用蓄電池３と充電ケーブルＣａとを繋ぐ電力線Ｌ３に設けられている。
【００１６】
スイッチ４が閉じているとき、系統電源Ｐから出力された電力は電力変換部２を介して充電対象蓄電池Ｂに供給される。スイッチ５が閉じているとき、系統電源Ｐから出力された電力は電力変換部２を介して充電用蓄電池３に供給される。スイッチ６が閉じているとき、充電用蓄電池３から出力された電力は充電対象蓄電池Ｂに供給される。このように、図１に示す構成例では、充電対象蓄電池Ｂに対する電力供給源として、系統電源Ｐと充電用蓄電池３とが備えられる。
【００１７】
電流センサ７は、例えば、ホール素子やシャント抵抗により構成されてもよい。電流センサ７は、充電用蓄電池３に流れる電流を検出する。
充電率推定部８は、例えば、ＣＰＵ（Central Processing Unit）、マルチコアＣＰＵ、又はプログラマブルディバイス（ＦＰＧＡ（Field Programmable Gate Array）やＰＬＤ（Programmable Logic Device）等）により構成される。充電率推定部８は、充電用蓄電池３の電圧等に基づいて、充電用蓄電池３の充電率（ＳＯＣ）を推定する。例えば、充電率推定部８は、充電用蓄電池３の開回路電圧（Open Circuit Voltage（ＯＣＶ））と充電率との対応関係を示す情報を記憶部１０から取得して、充電用蓄電池３の現在の開回路電圧に対応する現在の充電率を求めてもよい。記憶部１０は、例えば、ＲＯＭ（Read Only Memory）又はＲＡＭ（Random Access Memory）により構成される。なお、充電率推定部８は、スイッチ５が開いているときの充電用蓄電池３の電圧を充電用蓄電池３の現在の開回路電圧としてもよい。また、充電率推定部８は、スイッチ５が閉じているときの充電用蓄電池の閉回路電圧（Closed Circuit Voltage（ＣＣＶ））と所定の補正値とを用いて充電用蓄電池３の現在の開回路電圧を算出してもよい。
【００１８】
また、充電率推定部８は、充電用蓄電池３の充放電中に電流センサ７により検出された電流を積算することによって、充電用蓄電池３の積算充放電量［Ａｈ］を求める。例えば、充電率推定部８は、充電用蓄電池３の満充電容量推定の実施中、すなわち、充電用蓄電池３の充電中に電流センサ７により検出された電流を積算することによって、充電用蓄電池３の積算電流量［Ａｈ］を求める。なお、充電率推定部８は、充電開始前の充電率に、充電中の積算電流量［Ａｈ］を満充電容量［Ａｈ］で除算した値を加算して、充電中の充電用蓄電池３の充電率を求めてもよい。
【００１９】
制御部９は、電力供給制御部９１、満充電容量推定決定部９２、及び満充電容量推定部９３を含む。なお、充電率推定部８は制御部９に含まれてもよい。制御部９は、例えば、ＣＰＵ、マルチコアＣＰＵ、又はプログラマブルディバイスにより構成される。例えば、ＣＰＵ、マルチコアＣＰＵ、またはプログラマブルディバイスが所定のプログラムを実行することによって、充電率推定部８、電力供給制御部９１、満充電容量推定決定部９２、及び満充電容量推定部９３が実現される。
【００２０】
電力供給制御部９１は、電流センサＤにより検出された系統電源Ｐの出力電流に基づいて、系統電源Ｐから出力される電力を求める。電流センサＤは、例えば、ホール素子やシャント抵抗により構成される。電力供給制御部９１は、系統電源Ｐから出力される電力が電力閾値（例えば、契約電力）を超えないように、電力変換部２及びスイッチ４〜６の動作を制御する。電力供給制御部９１は、電力変換部２及びスイッチ４〜６の動作を制御することを通じて、系統電源Ｐから充電対象蓄電池Ｂへの電力供給、系統電源Ｐから充電用蓄電池３への電力供給、及び充電用蓄電池３から充電対象蓄電池Ｂへの電力供給を制御する。
【００２１】
また、充電用蓄電池３の満充電容量推定の実施が決定された場合、電力供給制御部９１は、満充電容量推定の開始時の充電用蓄電池３の充電率を、予め設定された推定実施閾値以下に低くするために、スイッチ５を開くことで充電用蓄電池３の充電を控える。満充電容量推定の開始時の充電用蓄電池３の充電率が推定実施閾値以下に低くされることで、満充電容量推定の実施中、すなわち、充電中の積算電流量を大きくすることができ、電流センサ７の計測誤差の影響を低減できる。このため、充電用蓄電池３の満充電容量の推定精度を向上させることができる。
【００２２】
満充電容量推定決定部９２は、充電用蓄電池３の満充電容量推定の実施を決定する。満充電容量推定の実施は、充電用蓄電池３の前回の満充電容量推定からの経過時間が所定の閾値を超えたか否かという判定条件を用いて決定されてもよい。又は、満充電容量推定の実施は、前回の満充電容量推定からの充電用蓄電池３の積算充放電量が所定の閾値を超えたか否かという判定条件を用いて決定されてもよい。
【００２３】
上述の判定条件の所定の閾値としては、充電用蓄電池３が充電対象蓄電池Ｂへの放電に使用される可能性が高い時間帯、すなわち、充電用蓄電池３の使用頻度が高い時間帯には、第１の閾値が用いられる。第１の閾値は、満充電容量推定部９３により推定される充電用蓄電池３の満充電容量（満充電容量推定値）が充電用蓄電池３の実際の満充電容量（実満充電容量）から乖離することを抑制するために設定された値である。また、上述の判定条件の所定の閾値としては、充電用蓄電池３が充電対象蓄電池Ｂへの放電に使用される可能性が低い時間帯、すなわち、充電用蓄電池３の使用頻度が低い時間帯には、第１の閾値よりも低い（小さい）第２の閾値が用いられる。
【００２４】
例えば、満充電容量推定の実施中、すなわち、充電用蓄電池３の充電中に、電力閾値（例えば、契約電力）による制限等の原因により、充電用蓄電池３から充電対象蓄電池Ｂへの放電が求められるケースがあり得る。こうしたケースが発生した場合、充電対象蓄電池Ｂを速やかに充電したいユーザの利便性を優先するために、充電用蓄電池３から充電対象蓄電池Ｂへの放電が開始されることが望ましい。充電用蓄電池３から充電対象蓄電池Ｂへの放電が開始された場合、実施中の満充電容量推定は中止される。
【００２５】
しかしながら、充電用蓄電池３の使用頻度が低い時間帯では、上述のようなケースが発生する可能性が低く、実施中の満充電容量推定が中止される可能性は低い。そこで、充電用蓄電池３の使用頻度が低い時間帯では、満充電容量推定決定部９２は、満充電容量推定が可及的に実施されるように、判定条件に第１の閾値よりも低い第２の閾値を用いて満充電容量推定の実施を決定する。すなわち、満充電容量推定決定部９２は、充電用蓄電池３の前回の満充電容量推定からの経過時間が第２の閾値を超えた場合に満充電容量推定の実施を決定する。又は、満充電容量推定決定部９２は、前回の満充電容量推定からの充電用蓄電池の積算充放電量が第２の閾値を超えた場合に満充電容量推定の実施を決定する。
【００２６】
一方、充電用蓄電池３の使用頻度が高い時間帯では、上述のようなケースが発生する可能性が高く、実施中の満充電容量推定が中止される可能性が高い。そこで、充電用蓄電池３の使用頻度が高い時間帯では、満充電容量推定を実施しないことも考えられる。しかしながら、充電用蓄電池３の使用頻度が低い時間帯においても満充電容量推定が実施されない場合には、満充電容量推定値と実満充電容量との乖離が広がってしまう。例えば、ユーザの使用パターンの変化によって、充電用蓄電池３の使用頻度が低い時間帯での充電用蓄電池３の使用頻度が高くなった場合には、満充電容量推定が実施されない状況が続き、満充電容量推定値と実満充電容量との乖離が広がってしまう。また、例えば、充電用蓄電池３の使用頻度が低い時間帯が短い場合や、充電用蓄電池３の使用頻度が低い時間帯での充電対象蓄電池Ｂの充電をユーザが禁止している場合には、満充電容量推定が実施されない状況が続き、乖離が広がってしまう。そこで、充電用蓄電池３の使用頻度が高い時間帯では、満充電容量推定決定部９２は、判定条件に第１の閾値を用いて満充電容量推定の実施を決定する。すなわち、満充電容量推定決定部９２は、充電用蓄電池３の前回の満充電容量推定からの経過時間が第１の閾値を超えた場合に満充電容量推定の実施を決定する。又は、満充電容量推定決定部９２は、前回の満充電容量推定からの充電用蓄電池の積算充放電量が第１の閾値を超えた場合に満充電容量推定の実施を決定する。第１の閾値が用いられることで、充電用蓄電池３の使用頻度が高い時間帯では、満充電容量推定値が実満充電容量から乖離することを抑制するために必要な限度で満充電容量推定が実施される。
【００２７】
第１の閾値及び第２の閾値は、充電用蓄電池３の使用頻度が高い時間帯及び充電用蓄電池３の使用頻度が低い時間帯と夫々対応付けられて、記憶部１０に予め記憶される。満充電容量推定決定部９２は、現在の時刻に対応する所定の閾値（第１の閾値又は第２の閾値）を記憶部１０から読み出し、読み出した所定の閾値を判定条件に用いて、充電用蓄電池３の満充電容量推定の実施を決定する。
【００２８】
なお、充電用蓄電池３の使用頻度が高い時間帯及び充電用蓄電池３の使用頻度が低い時間帯は、固定値として記憶部１０に予め記憶されてもよい。また、充電用蓄電池３の使用頻度が高い時間帯及び充電用蓄電池３の使用頻度が低い時間帯は、充電器１の運用中に満充電容量推定決定部９２により変更されてもよい。例えば、充電用蓄電池３の積算充放電量が所定値以上である時間帯が充電用蓄電池３の使用頻度が高い時間帯に設定され、該積算充放電量が所定値未満である時間帯が充電用蓄電池３の使用頻度が低い時間帯に設定されてもよい。充電用蓄電池３の積算充放電量は、充電率推定部８により算出され、満充電容量推定決定部９２に送られてもよい。
【００２９】
充電用蓄電池３の満充電容量推定の実施が決定された場合、満充電容量推定決定部９２は、充電用蓄電池３の満充電容量推定の実施を満充電容量推定部９３に指示する。
満充電容量推定部９３は、満充電容量推定の実施を満充電容量推定決定部９２から指示されると、満充電容量推定の準備を充電率推定部８及び電力供給制御部９１に通知する。満充電容量推定の準備が通知されると、電力供給制御部９１は、満充電容量推定の開始時の充電用蓄電池３の充電率を、予め設定された推定実施閾値以下に低くするために、スイッチ５を開くことで充電用蓄電池３の充電を控える。また、満充電容量推定の準備が通知されると、充電率推定部８は、一定時間経過毎に充電用蓄電池３の充電率を満充電容量推定部９３に送る。
【００３０】
充電率推定部８から受け取った充電用蓄電池３の充電率が、予め設定された推定実施閾値以下になると、満充電容量推定部９３は、満充電容量推定の開始を充電率推定部８及び電力供給制御部９１に通知する。満充電容量推定の開始の通知を受けると、電力供給制御部９１は、電力変換部２を介して系統電源Ｐから供給された電力により充電用蓄電池３を充電するためにスイッチ５を閉じ、充電用蓄電池３の放電を控えるためにスイッチ６を開く。また、満充電容量推定の開始の通知を受けると、充電率推定部８は、一定時間経過毎に、蓄電池３の充電率及び積算電流量を満充電容量推定部９３に送る。
【００３１】
満充電容量推定部９３は、充電用蓄電池３の充電率及び積算電流量を充電率推定部８から受け取り、記憶部１０に記憶させる。満充電容量推定部９３は、充電率推定部８から送られた充電用蓄電池３の充電率が満充電率（例えば、１００［％］）になると、充電用蓄電池３が満充電状態になったと判断する。充電用蓄電池３が満充電状態になったと判断すると、満充電容量推定部９３は、充電用蓄電池３の充電終了を電力供給制御部９１に通知する。電力供給制御部９１は、電力変換部２の動作を停止させたり、スイッチ５を開くことで、充電用蓄電池３の充電を終了させる。
【００３２】
満充電容量推定部９３は、前述した式(1)を用いて充電用蓄電池３の満充電容量を推定（算出）する。すなわち、満充電容量推定部９３は、充電終了時の充電用蓄電池３の充電率と充電開始時の充電用蓄電池３の充電率との差分で、充電中の充電用蓄電池３の積算電流量を除算することにより、充電用蓄電池３の満充電容量を推定（算出）する。
【００３３】
実施形態に従った蓄電システムが実行する満充電容量推定の処理フローの一例を説明する。図２は、実施形態に従った蓄電システムが実行する満充電容量推定の処理フローの一例を示す図である。
【００３４】
満充電容量推定決定部９２は、現在の時刻に対応する所定の閾値を記憶部１０から取得する（ステップＳ１）。例えば、現在の時刻が充電用蓄電池３の使用頻度が高い時間帯に含まれるならば、取得される所定の閾値は第１の閾値である。一方、例えば、現在の時刻が充電用蓄電池３の使用頻度が低い時間帯に含まれるならば、取得される所定の閾値は第２の閾値である。
【００３５】
満充電容量推定決定部９２は、取得した所定の閾値を判定条件に当てはめ（ステップＳ２）、充電用蓄電池３の満充電容量推定を実施するか否かを決定する。ステップＳ２で用いられる判定条件は、充電用蓄電池３の前回の満充電容量推定からの経過時間が所定の閾値を超えたか否かという判定条件であってもよい。また、ステップＳ２で用いられる判定条件は、前回の満充電容量推定からの充電用蓄電池の積算充放電量が所定の閾値を超えたか否かという判定条件であってもよい。
【００３６】
充電用蓄電池３の満充電容量推定を実施しないと決定された場合（ステップＳ３で“No”）、一連の処理はステップＳ１に戻る。例えば、充電用蓄電池３の前回の満充電容量推定からの経過時間が所定の閾値を超えない場合、又は前回の満充電容量推定からの充電用蓄電池の積算充放電量が所定の閾値を超えない場合には、充電用蓄電池３の満充電容量推定を実施しないと決定される。
【００３７】
一方、充電用蓄電池３の満充電容量推定を実施すると決定された場合（ステップＳ３で“Yes”）、満充電容量推定決定部９２は、充電用蓄電池３の満充電容量推定の実施を満充電容量推定部９３に指示し、一連の処理はステップＳ４に進む。例えば、充電用蓄電池３の前回の満充電容量推定からの経過時間が所定の閾値を超える場合、又は前回の満充電容量推定からの充電用蓄電池の積算充放電量が所定の閾値を超える場合には、充電用蓄電池３の満充電容量推定を実施すると決定される。
【００３８】
ステップＳ４において、満充電容量推定部９３は、満充電容量推定の準備を電力供給制御部９１に通知し、通知を受けた電力供給制御部９１はスイッチ５を開くことで充電用蓄電池３の充電を控える。また、満充電容量推定部９３は、満充電容量推定の準備を充電率推定部８に通知し、通知を受けた充電率推定部８は、一定時間経過毎に充電用蓄電池３の充電率を満充電容量推定部９３に送る。
【００３９】
充電率推定部８から受け取った充電用蓄電池３の充電率が、予め設定された推定実施閾値以下になると（ステップＳ５で“Yes”）、満充電容量推定部９３は、満充電容量推定の開始を充電率推定部８及び電力供給制御部９１に通知する。通知を受けた電力供給制御部９１は、電力変換部２を動作させスイッチ５を閉じることで、系統電源Ｐから供給された電力により充電用蓄電池３を充電する（ステップＳ６）。また、電力供給制御部９１は、スイッチ６を開くことで、充電中の充電用蓄電池３の放電を控える。また、通知を受けた充電率推定部８は、一定時間経過毎に、充電用蓄電池３の充電率及び積算電流量を満充電容量推定部９３に送る。
【００４０】
ステップＳ６で満充電容量推定が開始された後、充電用蓄電池３の放電要求を満充電容量推定部９３が電力供給制御部９１から受けた場合（ステップＳ７で“Yes”）、満充電容量推定部９３は実施中の満充電容量推定を中止し、一連の処理は終了する。この場合、電力供給制御部９１は、満充電容量推定を中止する旨の応答通知を満充電容量推定部９３から受けると、スイッチ６を閉じることで、充電用蓄電池３の放電を開始する。一方、充電用蓄電池３の放電要求を満充電容量推定部９３が電力供給制御部９１から受けない場合（ステップＳ７で“No”）、一連の処理はステップＳ８に進む。
【００４１】
ステップＳ８において、満充電容量推定部９３が充電率推定部８から受け取った充電用蓄電池３の充電率が満充電率未満の場合には（ステップＳ８で“No”）、一連の処理はステップＳ６に戻る。一方、満充電容量推定部９３が充電率推定部８から受け取った充電用蓄電池３の充電率が満充電率になると（ステップＳ８で“Yes”）、一連の処理はステップＳ９に進む。
【００４２】
ステップ９において、満充電容量推定部９３は、充電用蓄電池３の充電用蓄電池３の充電終了を電力供給制御部９１に通知する。通知を受けた電力供給制御部９１は、電力変換部２の動作を停止させたり、スイッチ５を開くことで、充電用蓄電池３の充電を終了させる。
【００４３】
満充電容量推定部９３は、式(1)を用いて充電用蓄電池３の満充電容量を推定する（ステップＳ１０）。満充電容量の推定後、満充電容量推定部９３は満充電容量推定の終了を満充電容量推定決定部９２に通知し、一連の処理は終了する。
【００４４】
このように、満充電容量推定の実施が決定された場合には、充電用蓄電池３の充電は控えられ、満充電容量推定の開始時の充電用蓄電池３の充電率は、推定実施閾値以下に低くされる。このため、満充電容量推定の実施中、すなわち、充電用蓄電池３の充電中の積算電流量を大きくすることができ、電流センサ７の計測誤差の影響を低減でき、充電用蓄電池３の満充電容量の推定精度を向上させることができる。
【００４５】
また、満充電容量推定の実施は、充電用蓄電池３の使用頻度が低い時間帯に可及的に行われ、充電用蓄電池３の使用頻度が高い時間帯では、満充電容量推定値が実満充電容量から乖離することを抑制するために必要な限度で行われる。このため、充電対象蓄電池Ｂを充電するために充電用蓄電池３を使用したいユーザの利便性は損なわれない。
【００４６】
したがって、実施形態に従った蓄電システムによれば、ユーザの利便性を低下させずに満充電容量の推定精度を向上させることができる。
なお、本発明は、以上の実施の形態に限定されるものでなく、本発明の要旨を逸脱しない範囲内で種々の改良、変更が可能である。
【００４７】
例えば、図１に示した一例では、充電用蓄電池３の満充電容量推定の実施決定、充電用蓄電池３の満充電容量推定、及び充電用蓄電池３の充放電の制御は、充電器１全体の制御を司る制御部９により行われる。しかしながら、充電用蓄電池３の満充電容量推定の実施決定、充電用蓄電池３の満充電容量推定、及び充電用蓄電池３の充放電の制御は、充電用蓄電池３を含む電池パックの各部を制御する制御部により行われてもよい。電池パックの各部を制御する制御部は、例えば、ＣＰＵ、マルチコアＣＰＵ、又はプログラマブルディバイスにより構成される。また、系統電源Ｐに複数の充電器１が接続されている場合には、各充電器１に含まれる充電用蓄電池３の満充電容量推定の実施決定、充電用蓄電池３の満充電容量推定、及び充電用蓄電池３の充放電の制御は、複数の充電器１の動作を通信ネットワークを介して制御する制御部により行われてもよい。複数の充電器１の動作を制御する制御部は、例えば、コンピュータにより構成される。
【００４８】
また、図１に示した一例では、充電用蓄電池３に対する電力供給源として系統電源Ｐが備えられている。しかしながら、系統電源Ｐの代わりに、回生により充電用蓄電池３を充電する内燃機関（エンジン）が備えられもよい。そこで、実施形態に従った蓄電システムは、例えば、充電用蓄電池３及び内燃機関を負荷（例えば、電動モータ）に対する電力供給源とするハイブリット車であってもよい。
【符号の説明】
【００４９】
１    充電器
２    電力変換部
３    充電用蓄電池
４、５、６    スイッチ
７    電流センサ
８    充電率推定部
９    制御部
１０    記憶部
９１    電力供給制御部
９２    満充電容量推定決定部
９３  満充電容量推定部
Ｂ    充電対象蓄電池
Ｃａ    充電ケーブル
Ｄ    電流センサ
Ｌ１、Ｌ２、Ｌ３    電力線
Ｐ    系統電源
【図１】
2018013435.tif 000003
【図２】
2018013435.tif 000004